(57)【要約】  中に収納されている細長い部材に保護を与えるための保護布スリーブおよびその構築方法が提供される。スリーブは、織込み糸で形成される壁と、壁の外面に接合されるエラストマー材料のコーティングとを有する。コーティングは、コーティングの外面を見る人に情報を提供するように指標をその中に有し、指標はコーティングの外面の中へ径方向内向きに延在し、容易に摩耗されるのを回避するように指標に深さを与える。
2021527382.tif 000002
【特許請求の範囲】
【請求項１】
中に収納されている細長い部材に保護を与えるための保護布スリーブであって、
少なくとも１つの織込み糸から形成される壁を備え、前記壁は、前記細長い部材を受けるようにサイズ決めされる中心空洞を境界決めしかつ対向端の間に中心軸に沿って延在する外面と内面とを有し、さらに
前記壁の前記外面に接合されるエラストマー材料のコーティングを備え、前記コーティングは、厚みおよび露出した外面を有し、さらに
指標を備え、前記指標は、前記コーティングの前記露出した外面の中へ長手方向軸に向かって径方向内向きに延在してある深さを前記指標に与える、保護布スリーブ。
【請求項２】
前記指標は、前記コーティングの前記厚みを貫通して延在しない、請求項１に記載の保護布スリーブ。
【請求項３】
前記指標の前記深さは、前記コーティングの前記厚みより小さい、請求項１に記載の保護布スリーブ。
【請求項４】
前記指標の前記深さは、前記コーティングの前記厚みの約２５〜７５パーセントの間である、請求項３に記載の保護布スリーブ。
【請求項５】
前記指標の前記深さは、前記コーティングの前記厚みの５０パーセントより大きい、請求項３に記載の保護布スリーブ。
【請求項６】
前記エラストマー材料はシリコーン系材料である、請求項１に記載の保護布スリーブ。
【請求項７】
前記少なくとも１つの糸は、織られる、編み組みされる、または編まれることによって織込まれる、請求項１に記載の保護布スリーブ。
【請求項８】
前記壁は、周方向に連続する継ぎ目のない壁である、請求項１に記載の保護布スリーブ。
【請求項９】
前記壁は、長手方向中心軸にほぼ平行に延在する対向する内側および外側端縁を有する、請求項１に記載の保護布スリーブ。
【請求項１０】
前記対向する内側および外側端縁は、互いに重なり合う関係に付勢される、請求項９に記載の保護布スリーブ。
【請求項１１】
布保護スリーブを構築する方法であって、
糸を織込んで対向端同士の間に延在する内面および外面を有する壁を形成することと、
エラストマー材料のコーティングのほぼ均一な厚みを前記外面に接合することと、
前記コーティングの外面の中へ内向きに延在する指標を形成し、前記指標に深さを与えることと、を備える、方法。
【請求項１２】
前記コーティングの前記厚みよりも小さくなるように前記指標の前記深さを形成することをさらに含む、請求項１１に記載の方法。
【請求項１３】
前記コーティングの前記厚みの約２５〜７５パーセントの間になるように前記指標の前記深さを形成することをさらに含む、請求項１２に記載の方法。
【請求項１４】
前記エラストマー材料をシリコーン系材料として設けることをさらに含む、請求項１１に記載の方法。
【請求項１５】
織り、編み組み、または編みプロセスの１つによって前記糸を織込むことをさらに含む、請求項１１に記載の方法。
【請求項１６】
前記指標をレーザで形成することをさらに含む、請求項１１に記載の方法。
【請求項１７】
周方向に連続した継ぎ目のない壁として前記壁を形成することをさらに含む、請求項１１に記載の方法。
【請求項１８】
長手方向中心軸にほぼ平行に延在する対向する内側および外側端縁を有する前記壁を形成することをさらに含む、請求項１１に記載の方法。
【請求項１９】
前記対向する内側および外側端縁を互いに重なり合う関係に付勢することをさらに含む、請求項１８に記載の保護布スリーブ。
【発明の詳細な説明】
【技術分野】
【０００１】
関連出願への相互参照
この出願は、２０１８年６月１４日に出願された米国仮出願連続番号第６２／６８４，８６７号および２０１９年５月２１日に出願された米国実用出願連続番号第１６／４１８，９２４号の利益を主張し、その全体が引用により本明細書に援用される。
【０００２】
発明の背景
１．技術分野
この発明は、概して、その中に収納されている細長い部材に保護を与えるための保護布スリーブに関し、より特定的には、その中に表示マーキングを有するエラストマーコーティングを有する布スリーブに関する。
【背景技術】
【０００３】
２．関連技術
中を通って延在する細長い部材に保護を与えるための保護布スリーブが公知である。周方向に連続する閉じた壁、または互いに重なり合う関係に巻き付けられるように構成される、長手方向に延在する対向端縁を有する巻き付け可能な壁を有する保護布スリーブも公知である。場合により、前述の公知のスリーブは、スリーブ内に収納されている内容物に対する付加的な保護のためにエラストマーコーティングを有する。名称および／または製品番号など、識別目的のためにスリーブの外面に指標を含むことがさらに公知であり、指標は、典型的には、インクジェット技術、パッド印刷、または他のインク塗布により、インクで設けられる。前述の指標は当初は有用であることがわかり得るが、特に熱および／または流体に晒されると、指標が摩耗してしまうという劣化によって問題が生じる可能性がある。
【発明の概要】
【課題を解決するための手段】
【０００４】
開示の要約
開示のある局面に従うと、中に収納されている細長い部材に保護を与えるための保護布スリーブおよびその構築方法が提供される。スリーブは、織込み糸で形成される壁と、壁の外面に接合されるエラストマー材料のコーティングとを有する。コーティングは、コーティングの外面を見る人に情報を提供するために指標をその中に有し、指標は、コーティングの外面の中へ径方向内向きに延在し、容易に摩耗されるのを回避するように指標に深さを与える。したがって、スリーブは、指標が摩耗してしまうという懸念なく、出荷され、保管され、かつ使用され得る。
【０００５】
開示の別の局面に従うと、指標は、織込み糸の下方の外面を露出させるのを回避するように、コーティングの全厚みを貫通して延在しない。
【０００６】
開示の別の局面に従うと、指標の深さはコーティングの厚みの約２５〜７５パーセントの間であり、それにより、指標の摩耗を回避しつつ、同時に、下方の糸の望ましくない露出を回避して糸に摩損および損傷が生じるのを防止する。
【０００７】
開示の別の局面に従うと、コーティングの厚みの５０パーセントよりも大きくなるように指標の深さを形成することができる。それにより、指標がうっかり摩耗してしまうのを防止する能力を高めながら、深さがコーティングの全厚みを貫通して延在しないようにして、下方の糸の望ましくない露出を回避して糸に摩損および損傷が発生するのを防止する。
【０００８】
開示の別の局面に従うと、エラストマー材料はシリコーン系材料である。
開示の別の局面に従うと、糸は、織られる、編み組みされる、または編まれることによって織込まれ得る。
【０００９】
開示の別の局面に従うと、布保護スリーブを構築する方法が提供される。方法は、糸を織込んで、対向端の間に延在する内面および外面を有する壁を形成することを含む。さらに、エラストマー材料のコーティングを外面に接合すること、およびコーティングの外面の中へ内向きに延在する指標を形成し、容易に摩耗するのを回避するように指標に深さを与えることである。
【００１０】
開示の別の局面に従うと、方法は、織込み糸の下方の外面を露出させるのを回避するように、コーティングの全厚みを貫通して延在しないように指標を形成することをさらに含むことができる。
【００１１】
開示の別の局面に従うと、方法は、コーティングの厚みの約２５〜７５パーセントの間になる指標の深さをさらに含み、それにより、指標の摩耗を回避しつつ、同時に、下方の糸の望ましくない露出を回避して糸に摩損および損傷が生じるのを防止することができる。
【００１２】
開示の別の局面に従うと、方法は、コーティングの厚みの５０パーセントより大きい指標の深さを形成することをさらに含むことができる。それにより、指標がうっかり摩耗してしまうのを防止する能力を高めながら、深さがコーティングの全厚みを貫通して延在しないようにして、下方の糸の望ましくない露出を回避して糸に摩損および損傷が発生するのを防止する。
【００１３】
開示の別の局面に従うと、方法は、シリコーン系材料としてエラストマー材料を設けることをさらに含むことができる。
【００１４】
開示の別の局面に従うと、方法は、織り、編み組み、または編みプロセスのうちの１つによって糸を織込むことをさらに含むことができる。
【００１５】
開示の別の局面に従うと、方法は、レーザを用いて指標を形成することをさらに含むことができる。
【００１６】
本開示のこれらおよび他の局面、特徴、および利点は、現在好ましい実施形態および最良モード、添付の請求項、ならびに添付の図面の以下の詳細な説明と関連して検討すると、より容易に認められるであろう。
【図面の簡単な説明】
【００１７】
【図１】保護対象の細長い部材の周りに固定されて示される、開示のある局面に従う周方向に連続する継ぎ目のない壁を有する保護スリーブの斜視図である。
【図２】保護対象の細長い部材の周りに固定されて示される、開示の別の局面に従う巻き付け可能な壁を有する保護スリーブの斜視図である。
【図３】図１の線３−３にほぼ沿った拡大断面図である。
【発明を実施するための形態】
【００１８】
現在好ましい実施形態の詳細な説明
図面をより詳細に参照すると、図１および図２は、一例としてかつ限定されることなく、ケーブル、ワイヤーハーネス、またはチューブなどの細長い部材１４を通しかつ保護するための、周方向に連続する継ぎ目のない壁１２および巻き付け可能な壁１２′をそれぞれ有するスリーブ１０、１０′を示す。細長い巻き付け可能な壁１２′は、対向する内側および外側の自由な側または側端縁を有する。これらは単に端縁１６、１７とも称され、対向する開放端１９、２０；１９′、２０′の間に両方の壁１２、１２′がそれぞれ延在する状態で、長手方向中心軸１８にほぼ平行に延在する。壁１２′の糸に形成されるヒートセットを介してなど、巻き付け可能な壁１２′の対向端縁１６、１７を「煙草包み」の態様で互いに重なり合う関係に付勢して、細長い部材１４をスリーブ１０′の中心空洞Ｃ内に完全に封入することができる。壁１２、１２′は、内面２１、２１′とも称される最内表面または最内面と、外面２３、２３′とも称される最外表面または最外面とを有し、空洞Ｃは、最内面２１、２１′によって規定されかつ境界決めされる。壁１２、１２′は、モノフィラメントおよび／またはマルチフィラメントを含むことができる織込み糸２５（図１および図２の別個の部分破断区域に示され、糸２５は、示されるように織り、編み、または編み組みされ得、図示は、糸を織込むための異なる機構を示しているが、任意の１つのスリーブに対して１つのみが行われると理解すべきである）と、壁１２、１２′の外面２９、２９′に接合されるエラストマー材料のコーティング２７とで形成される。コーティング２７は、任意の所望の記号、数字、文字等を含む指標２８をその中に有し、コーティング２７の外面３０を見る人に情報を提供する。指標２８は、長手方向中心軸１８に向かってコーティング２７の外面３０の中へ径方向内向きに延在し、容易に摩耗するのを回避するように指標２８に深さ（ｄ）を与える。したがって、スリーブ１０、１０′は、指標２８が摩耗してしまう懸念なく、出荷、保管、および使用され得る。
【００１９】
指標２８は、織込み糸２５の下方の外面２９、２９′を露出させるのを回避するように、コーティング２７の全厚み（ｔ）を貫通して延在しない。したがって、深さｄは厚みｔよりも小さく、それにより、指標２８の領域を含むスリーブ１０、１０′の全体にわたって糸２５がコーティング２７によって完全に保護されたままとなり、それにより、環境要素（破片）、熱的条件に糸２５が晒されるのを回避する。ある局面に従うと、指標２８の深さｄは、コーティング２７の厚みｔの約２５〜７５パーセントの間であり、さらなる局面に従うと、指標２８が摩耗しないことを最も確実にするためには、指標２８の深さｄは、コーティング２７の厚みｔの５０パーセントより大きく、しかし、下方の糸２５の望ましくない露出を回避するためには、厚みｔの７５パーセントよりも小さい。
【００２０】
コーティング２７のエラストマー材料をシリコーン系材料として設けることができ、糸２５は、織られる、編み組みされる、または編まれることによって織込まれ得る。
【００２１】
開示の別の局面に従うと、布保護スリーブ１０、１０′を構築する方法が提供される。方法は、糸２５を織込んで、対向端１９、２０；１９′、２０′の間に延在する内面２１、２１′および外面２９、２９′を有する壁１２、１２′を形成することを含む。さらに、エラストマー材料のコーティング２７を外面２９、２９′の全体に接合すること、およびコーティング２７の外面３０の中へと径方向内向きに延在する指標２８を形成して、容易に摩耗するのを回避するように指標２８に深さ（ｄ）を与えること、である。
【００２２】
方法は、織込み糸２５の、下方の外面２９、２９′を露出させるのを回避するように、深さｄが厚みｔよりも小さくなるように、指標２８がコーティング２７の全厚み（ｔ）を貫通して延在しないように指標２８を形成することをさらに含むことができる。
【００２３】
方法は、コーティング２７のエラストマー材料をシリコーンまたはシリコーン系材料として設けることをさらに含むことができる。
【００２４】
方法は、織り、編み組み、または編みプロセスのうちの１つを介して糸２５を織込むことをさらに含むことができる。
【００２５】
方法は、レーザで指標２８を形成することをさらに含むことができる。
用途の必要性に応じて、長さおよび直径を含む任意の好適なサイズを有するように壁１２、１２′を構築することができる。壁１２’が自動巻き付き壁として形成されるならば、マルチフィラメントおよび／またはモノフィラメントを問わず、横糸方向に周方向に延在する糸２５の少なくとも一部を、たとえばポリフェニレンスルフィド（ＰＰＳ）またはポリエチレンテレフタレート（ＰＥＴ）などの任意の好適な熱硬化性ポリマー材料として設けることができる。
【００２６】
以上の教示に照らして、本発明の多数の修正例および変形例が考えられる。したがって、具体的に記載される以外のやり方で発明を実践してもよく、発明の範囲は、最終的に許可される任意の請求項によって規定されることを理解すべきである。特に、互いに矛盾しない限り、全ての請求項および全ての実施形態の全ての特徴を互いに組合わせることができる。
【図１】
2021527382.tif 000003
【図２】
2021527382.tif 000004
【図３】
2021527382.tif 000005
【国際調査報告】
2021527382.tif 000006
2021527382.tif 000007
2021527382.tif 000008